(57)【特許請求の範囲】
【請求項１】
複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロックおよび正多面体状ブロックを備えることを特徴とするブロック玩具。
【請求項２】
複数種の形状のブロックと、これらブロックそれぞれの形状に対応する形状を持ち対応のブロックのみを通すブロック通し穴が設けられたブロック選別部とを備えたブロック玩具において、前記複数種のブロックとして、面数の異なる複数種の正多面体状ブロックを備えることを特徴とするブロック玩具。
【請求項３】
複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロック、一面が正三角形状の四面体状ブロック、および正六面体状ブロックのうちの２種以上のブロックを備えることを特徴とするブロック玩具。
【請求項４】
複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロック、正四面体状ブロックおよび正六面体状ブロックを備えることを特徴とするブロック玩具。
【請求項５】
複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロック、正四面体状ブロックおよび正六面体状ブロックだけを備えることを特徴とするブロック玩具。
【請求項６】
ブロックを受容可能な容器に前記ブロック通し穴が付設されていることを特徴とする請求項１〜５いずれか記載のブロック玩具。
【発明の詳細な説明】
【０００１】
【発明の属する技術分野】
本発明は、複数種の形状のブロックと、これらブロックそれぞれの形状に対応する形状を持ち対応のブロックのみを通すブロック通し穴が設けられたブロック選別部とを備えたブロック玩具に関するものである。
【０００２】
【従来の技術】
従来のブロック玩具としては次のようなものが知られている。
このブロック玩具は、円柱状、三角柱状および直方体状のブロックと、これらブロックそれぞれの形状に対応する形状を持ち対応のブロックのみを通すブロック通し穴が設けられた容器とを備えている。ここでのブロック通し穴の形状について云えば、例えば、円柱状ブロックの場合には円形状ブロック通し穴、三角柱状ブロックの場合には三角形状ブロック通し穴、直方体状ブロックの場合には四角形状ブロック通し穴となっている。
【０００３】
このブロック玩具においては、最初に一のブロックとして例えば三角柱状ブロックを選択し、この三角柱状ブロックの端面に見合ったブロック通し穴（三角形状ブロック穴）を選択し、三角形状ブロックの端面をそのブロック通し穴に対向させ、かつ、ブロックの端面とブロック通し穴の向きを合致させ、この状態で、ブロックをブロック通し穴に通して遊ぶようになっている。あるいは、最初に一のブロック通し穴として例えば三角形状ブロック通し穴を選択し、この三角形のブロック通し穴に見合ったブロック（三角柱状ブロック）を選択し、ブロックの端面をそのブロック通し穴に対向させ、かつ、ブロックの端面とブロック通し穴の方向を合致させ、この状態で、ブロックをブロック通し穴に通して遊ぶようになっている。なお、選択したブロックが円柱状ブロックの場合、または、選択したブロック通し穴が円形状ブロック通し穴の場合には、ブロックの端面をそのブロック通し穴に対向させた後の、ブロックの端面とブロック通し穴の方向を合わせるための方向合わせ作業が不要である。
【０００４】
【発明が解決しようとする課題】
このブロック玩具によれば、ブロックが三角柱状ブロックおよび直方体状ブロックの場合、そのブロックを対応するブロック通し穴に通すためには形状選択作業と方向合わせ作業との２つの作業が必要となる。すなわち、選択したブロックに見合ったブロック通し穴を選択したり、選択したブロック通し穴に見合ったブロックを選択したりするために形状選択作業が必要である上、ブロックの所定の面を対応するブロック通し穴に対向させ、かつ、ブロックの端面とブロック通し穴の方向を合致させるための方向合わせ作業が必要となる。
したがって、このブロック玩具は、ある程度の年齢に達した子供達の知育玩具としては適している反面、幼児、精神遅滞児、目の不自由な人等にとっては難易度が高すぎるという問題が生じていた。
【０００５】
本発明は、かかる点に鑑みてなされたもので、幼児等の技量に適したブロック玩具を提供することを目的としている。
【０００６】
【課題を解決するための手段】
請求項１記載のブロック玩具は、複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロックおよび正多面体状ブロックを備えることを特徴とする。この場合、前記複数種のブロックとして、球体状ブロックおよび正多面体状ブロックだけを備えていてもよいし、その他の形状のブロックをも備えていてもよい。
【０００７】
請求項２記載のブロック玩具は、複数種の形状のブロックと、これらブロックそれぞれの形状に対応する形状を持ち対応のブロックのみを通すブロック通し穴が設けられたブロック選別部とを備えたブロック玩具において、前記複数種のブロックとして、面数の異なる複数種の正多面体状ブロックを備えることを特徴とする。この場合、前記複数種のブロックとして、面数の異なる複数種の正多面体状ブロックだけを備えていてもよいし、その他の形状のブロックをも備えていてもよい。
【０００８】
請求項３記載のブロック玩具は、複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロック、一面が正三角形状の四面体状ブロック、および正六面体状ブロックのうちの２種以上のブロックを備えることを特徴とする。この場合、球体状ブロック、四面体状ブロックおよび正六面体状ブロックのうちの２種以上のブロックだけを備えていてもよいし、その他の形状のブロックをも備えていてもよい。
【０００９】
請求項４記載のブロック玩具は、複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロック、正四面体状ブロックおよび正六面体状ブロックを備えることを特徴とする。この場合、球体状ブロック、正四面体状ブロックおよび正六面体状ブロックだけを備えていてもよいし、その他の形状のブロックをも備えていてもよい。
【００１０】
請求項５記載のブロック玩具は、複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロック、正四面体状ブロックおよび正六面体状ブロックだけを備えることを特徴とする。
【００１１】
これら請求項１〜４いずれか記載のブロック玩具によれば、少なくとも３つ以上の角度でブロック通し穴を通過できるので、これらブロックとブロック通し穴とを対応づけられさえすれば、ブロックを対応するブロック通し穴の上に載せ、必要あれば少しだけ正多面体状ブロックの角度を変えることにより、ブロックがブロック通し穴を簡単に通ることになる。また、一面が正三角形状の四面体状ブロックの場合、ブロック通し穴を正三角形状とすれば、その四面体ブロックの正三角形状の面をブロック通し穴に向けなくても、その正三角形状の面とは反対側の頂部をブロック通し穴に向ければ、その四面体状ブロックは簡単にブロック通し穴を通ることになる。特に、正三角形状の面以外の面を同じ大きさの二等辺三角形状とすれば、より簡単に四面体状ブロックはブロック通し穴を通ることになる。
【００１２】
請求項６記載のブロック玩具は、請求項１〜５いずれか記載のブロック玩具において、ブロックを受容可能な容器に前記ブロック通し穴が付設されていることを特徴とする。
このブロック玩具によれば、ブロックを受容可能な容器を備えているので、ブロック玩具の片付けが簡単に行えることになる。
【００１３】
【発明の実施の形態】
以下、本発明に係るブロック玩具の実施形態を図面に基づいて説明する。
図１に示すように、本実施形態のブロック玩具１は、球体状ブロック２と、正四面体状ブロック３と、正六面体状ブロック４と、容器７とから構成されている。
【００１４】
球体状ブロック２、正四面体状ブロック３および正六面体状ブロック４はプラスチック製で、それぞれが片手で持てる程度の大きさに作られている。このうち、正四面体状ブロック３および正六面体状ブロック４については、角部、辺部に丸みを帯びさせることにより、触感を良好にしている。なお、これらブロック２，３，４の表面はここでは完全な球面あるいは平面の組み合わせとなっているが、その表面にディンプル等が設けられていたものであってもよい。また、ブロックの中が空洞の場合には、表面にその空洞に達する穴が設けられていてもよい。
【００１５】
容器７はプラスチック製で、エルボ状に構成されている。そして、容器７の湾曲部外側にはパイプ状の支持部８が付設されている。この支持部８によって容器７を起立状態に維持できるようになっている。この容器７の本体７ａは円筒をＬ字状に折り曲げた構造となっている。
本体７ａの一端開口にはプラスチック製の蓋状ブロック選別部９が着脱可能に付設されている。このブロック選別部９は本体７ａの一端開口を閉塞するように本体７ａに付設されている。そして、このブロック選別部９には、図２に示すように、球体状ブロック２を通すための円形状ブロック通し穴１２、正四面体状ブロック３を通すための正三角形状ブロック通し穴１３、正六面体状ブロック４を通すための正方形状ブロック通し穴１４が形成されている。
一方、本体７ａの他端開口には蓋状ブロック入出部１５が付設されている。このブロック入出部１５は本体７ａの他端開口を閉塞するように本体７ａに付設されている。そして、このブロック入出部１５は円板状のプラスチックプレート１５ａを有し、このプラスチックプレート１５ａには、その中央部に形成した穴から放射状に延びる多数のスリット１５ｂが形成されている。この多数のスリット１５ｂのそれぞれはプラスチックプレート１５ａの外周部近くに設けた他の穴に連絡している。なお、ここではプラスチックプレート１５ａとしているが、ゴムプレートを使用してもよいことは勿論である。
【００１６】
次に、このブロック玩具１を用いての遊び方を、（１）ブロック選別部９が上側にした場合と、（２）ブロック入出部１５が上側にした場合とに分けて説明する。
【００１７】
（１）ブロック選別部９が上側にした場合
▲１▼  まず、最初に球状体ブロック２を選択した場合を説明すれば、その球状体ブロック２に見合った円形状ブロック通し穴１２を探し出す。円形状ブロック通し穴１２を探し出したならば、その球状体ブロック２を円形状ブロック通し穴１２の直上に位置させる。そして、球状体ブロック２を円形状ブロック通し穴１２に落とし込む。一方、最初に円形状ブロック通し穴１２を選択した場合を説明すれば、その円形状ブロック通し穴１２に見合った球状体ブロック２を探し出す点以外は、最初に球状体ブロック２を選択した場合と同様である。
▲２▼  次に、最初に正四面体状ブロック３を選択した場合を説明すれば、その正四面体状ブロック３に見合った正三角形状ブロック通し穴１３を探し出す。正三角形状ブロック通し穴１３を探し出したならば、その正四面体状ブロック３を正三角形状ブロック通し穴１３の直上に位置させる。この場合、正四面体状ブロック３の一面を正三角形状ブロック通し穴１３に向けてもよいし、正四面体状ブロック３の頂部を正三角形状ブロック通し穴１３に向けてもよいが、正四面体状ブロック３の一面を正三角形状ブロック通し穴１３に向ける場合には、正四面体状ブロック３および正三角形状ブロック通し穴１３の方向をも合わせることが必要となる。そして、正四面体状ブロック３を正三角形状ブロック通し穴１３に落とし込む。一方、最初に正三角形状ブロック通し穴１３を選択した場合を説明すれば、その正三角形状ブロック通し穴１３に見合った正四面体状ブロック３を探し出す点以外は、最初に正四面体状ブロック３を選択した場合と同様である。
▲３▼  次に、最初に正六面体状ブロック４を選択した場合を説明すれば、その正六面体状ブロック４に見合った正四角形状ブロック通し穴１４を探し出す。正四角形状ブロック通し穴１４を探し出したならば、その正六面体状ブロック４を正四角形状ブロック通し穴１４の直上に位置させる。この場合、正六面体状ブロック４および正四角形状ブロック通し穴１４の方向をも合わせることが必要となる。そして、正六面体状ブロック４を正四角形状ブロック通し穴１４に落とし込む。一方、最初に正四角形状ブロック通し穴１４を選択した場合を説明すれば、その正四角形状ブロック通し穴１４に見合った正六面体状ブロック４を探し出す点以外は、最初に正六面体状ブロック４を選択した場合と同様である。
【００１８】
なお、ブロック選別部９が上側にした場合の容器７内に入ったブロックの取り出しは、ブロック選別部９を取り外してそこから行うか、ブロック入出部１５のプラスチックプレート１５ａから手を入れて行う。
【００１９】
（２）ブロック入出部１５が上側にした場合
まず、一のブロックを選択し、そのブロックをプラスチックプレート１５ａの上に載せる。そして、このブロックを上から押す。すると、プラスチックプレート１５ａは下側に撓んでその中にブロックが落とし込まれる。
【００２０】
なお、ブロック入出部１５が上側にした場合の容器７内に入ったブロックの取り出しは、ブロック選別部９を取り外してそこから行うか、ブロック入出部１５のプラスチックプレート１５ａから手を入れて行う。また、予め、ブロック選別部９を取り外しておいてもよい。
【００２１】
以上、本発明者によってなされた発明を実施形態に基づき説明したが、本発明は上記実施形態に限定されるものではなく、その要旨を逸脱しない範囲で種々変更可能であることはいうまでもない。
【００２２】
【発明の効果】
本発明の代表的なものによれば、複数種の形状のブロックと、これらブロックそれぞれの形状に対応する形状を持ち対応のブロックのみを通すブロック通し穴が設けられたブロック選別部とを備えたブロック玩具において、前記複数種のブロックとして、球体状ブロックおよび正多面体状ブロックを備えるので、これらブロックとブロック通し穴とを対応づけられさえすれば、ブロックを対応するブロック通し穴の上に載せ、必要あれば少しだけ正多面体状ブロックの角度を変えることにより、ブロックがブロック通し穴を簡単に通ることになる。
【図面の簡単な説明】
【図１】本発明に係るブロック玩具の斜視図である。
【図２】本発明に係るブロック玩具のブロック選別部である。
【符号の説明】
１    ブロック玩具
２    球体状ブロック２
３    正四面体状ブロック
４    正六面体状ブロック
５    第１のブロック通し穴
６    第２のブロック通し穴
７    容器
１２  円形状ブロック通し穴
１３  正三角形状ブロック通し穴
１４  正方形状ブロック通し穴
【図１】
0003583934.tif 000002
【図２】
0003583934.tif 000003